(57)【要約】【課題】発呼者の最寄の緊急電話を選択し、接続できるＩＰ電話サーバ接続プログラムおよびＩＰ電話プログラムを提供することを課題とする。【解決手段】ＩＰ電話サーバ装置５０は、郵便番号／ＩＰアドレス対応表保持部５６がＩＰ電話装置１０の郵便番号とＩＰアドレスを対応付けた郵便番号／ＩＰアドレス対応表を保持し、最寄電話ＩＰアドレス検索部５６は、郵便番号／ＩＰアドレス対応表保持部５６によって保持された郵便番号／ＩＰアドレス対応表とＩＰ電話装置１０から受信した郵便番号に基づいてＩＰ電話装置１０が接続すべき最寄ＩＰ電話装置３０のＩＰアドレスを検索し、通信部５８が最寄電話ＩＰアドレス検索部５４によって検索された最寄ＩＰ電話装置のＩＰアドレスを取得し、ＩＰ電話装置１０に送信する。【選択図】        図２
2007104734.tif 000002
【特許請求の範囲】
【請求項１】
ＩＰ電話装置と当該ＩＰ電話装置が接続すべき最寄ＩＰ電話装置とをＩＰ電話サーバ装置が接続するＩＰ電話接続方法を当該ＩＰ電話サーバ装置としてのコンピュータに実行させるＩＰ電話サーバ接続プログラムであって、
前記ＩＰ電話装置において所定の電話番号が入力されたことにより当該ＩＰ電話装置の所在地を特定する地域特定情報を当該ＩＰ電話装置から受信する地域特定情報受信手順と、
前記ＩＰ電話装置の所在地を特定する地域特定情報と前記最寄ＩＰ電話装置を一意に認識可能なアドレスとを対応づけた地域特定情報／アドレス対応表を検索し、前記受信した地域特定情報に対応づけられたアドレスを当該ＩＰ電話装置が接続すべき最寄ＩＰ電話装置のアドレスとして取得するアドレス取得手順と、
をコンピュータに実行させることを特徴とするＩＰ電話サーバ接続プログラム。
【請求項２】
ＩＰ電話装置と当該ＩＰ電話装置が接続すべき最寄ＩＰ電話装置とをＩＰ電話サーバ装置が接続するＩＰ電話接続方法を当該ＩＰ電話装置としてのコンピュータに実行させるＩＰ電話プログラムであって、
所定の電話番号が入力されると、前記ＩＰ電話装置の所在地を特定する当該ＩＰ電話装置の地域特定情報を前記ＩＰ電話サーバ装置に送信する地域特定情報送信手順と、
前記地域特定情報送信手順によって送信された前記地域特定情報に基づいて前記ＩＰ電話サーバ装置において取得された前記最寄ＩＰ電話装置を一意に認識可能なアドレスを当該ＩＰ電話サーバ装置から受信すると、当該アドレスに接続要求を行う電話接続要求手順と、
をコンピュータに実行させることを特徴とするＩＰ電話プログラム。
【請求項３】
前記所定の電話番号を前記ＩＰ電話サーバ装置を一意に認識可能なアドレスに置換するアドレス置換手順をさらにコンピュータに実行させ、
前記地域特定情報送信手順は、前記アドレス置換手順によって置換されたＩＰ電話サーバ装置のアドレスに前記地域特定情報を送信することを特徴とする請求項２に記載のＩＰ電話プログラム。
【発明の詳細な説明】
【技術分野】
【０００１】
この発明は、ＩＰ電話サーバ接続プログラムおよびＩＰ電話プログラムに関し、特に、発呼者の最寄の緊急電話を選択し、接続できるＩＰ電話サーバ接続プログラムおよびＩＰ電話プログラムに関する。
【背景技術】
【０００２】
従来、ＩＰ電話サービスを提供するＩＰ電話サーバ装置とＩＰ電話サーバ装置とネットワークを介して接続されたＩＰ電話装置からなるＩＰ電話システムが知られている。かかるＩＰ電話システムにおいて緊急電話をかける場合は、一般公衆回線網のように１１０番や１１９番を発呼して発呼者の最寄の警察署や消防署に接続されることが必要であるが、ＩＰアドレスはＩＰ電話装置の所在地を特定する情報と無関係に設定されているので、一般公衆回線網と同じ仕組みでは発呼者の最寄の緊急電話に接続できない。
【０００３】
例えば、特許文献１では、緊急電話先のＩＰアドレスがわかっているものとして、ＩＰ電話装置と緊急電話が接続された後、ＩＰ電話装置と緊急電話の接続が何らかの理由で切断された場合、緊急電話から一般公衆回線網を経由してＩＰ電話装置に再接続する従来技術が開示されている。
【０００４】
【特許文献１】特許第３１３９６２３号公報
【発明の開示】
【発明が解決しようとする課題】
【０００５】
しかしながら、上記の従来技術は、緊急電話から一般公衆回線を経由してＩＰ電話装置に再接続する技術であり、ＩＰアドレスが判っていることを前提としているので、この従来技術ではＩＰ電話装置から発呼者の最寄の緊急電話を選択し、接続することができないという問題点があった。
【０００６】
そこで、この発明は、上述した従来技術による問題点を解消するためになされたものであり、発呼者の最寄の緊急電話を選択し、接続できるＩＰ電話サーバ接続プログラムおよびＩＰ電話プログラムを提供することを目的とする。
【課題を解決するための手段】
【０００７】
上述した課題を解決し、目的を達成するため、請求項１に係る発明は、ＩＰ電話装置と当該ＩＰ電話装置が接続すべき最寄ＩＰ電話装置とをＩＰ電話サーバ装置が接続するＩＰ電話接続方法を当該ＩＰ電話サーバ装置としてのコンピュータに実行させるＩＰ電話サーバ接続プログラムであって、前記ＩＰ電話装置において所定の電話番号が入力されたことにより当該ＩＰ電話装置の所在地を特定する地域特定情報を当該ＩＰ電話装置から受信する地域特定情報受信手順と、前記ＩＰ電話装置の所在地を特定する地域特定情報と前記最寄ＩＰ電話装置を一意に認識可能なアドレスとを対応づけた地域特定情報／アドレス対応表を検索し、前記受信した地域特定情報に対応づけられたアドレスを当該ＩＰ電話装置が接続すべき最寄ＩＰ電話装置のアドレスとして取得するアドレス取得手順と、をコンピュータに実行させることを特徴とする。
【０００８】
また、請求項２に係る発明は、ＩＰ電話装置と当該ＩＰ電話装置が接続すべき最寄ＩＰ電話装置とをＩＰ電話サーバ装置が接続するＩＰ電話接続方法を当該ＩＰ電話装置としてのコンピュータに実行させるＩＰ電話プログラムであって、所定の電話番号が入力されると、前記ＩＰ電話装置の所在地を特定する当該ＩＰ電話装置の地域特定情報を前記ＩＰ電話サーバ装置に送信する地域特定情報送信手順と、前記地域特定情報送信手順によって送信された前記地域特定情報に基づいて前記ＩＰ電話サーバ装置において取得された前記最寄ＩＰ電話装置を一意に認識可能なアドレスを当該ＩＰ電話サーバ装置から受信すると、当該アドレスに接続要求を行う電話接続要求手順と、をコンピュータに実行させることを特徴とする。
【０００９】
また、請求項３に係る発明は、上記の発明において、前記所定の電話番号を前記ＩＰ電話サーバ装置を一意に認識可能なアドレスに置換するアドレス置換手順をさらにコンピュータに実行させ、前記地域特定情報送信手順は、前記アドレス置換手順によって置換されたＩＰ電話サーバ装置のアドレスに前記地域特定情報を送信することを特徴とする。
【発明の効果】
【００１０】
請求項１の発明によれば、ＩＰ電話装置とＩＰ電話装置が接続すべき最寄ＩＰ電話装置とをＩＰ電話サーバ装置が接続するＩＰ電話接続方法をＩＰ電話サーバ装置としてのコンピュータに実行させるＩＰ電話サーバ接続プログラムであって、ＩＰ電話装置において所定の電話番号が入力されたことによりＩＰ電話装置の所在地を特定する地域特定情報をＩＰ電話装置から受信し、ＩＰ電話装置の所在地を特定する地域特定情報と最寄ＩＰ電話装置を一意に認識可能なアドレスとを対応づけた地域特定情報／アドレス対応表を検索し、受信した地域特定情報に対応づけられたアドレスをＩＰ電話装置が接続すべき最寄ＩＰ電話装置のアドレスとして取得するので、発呼者の最寄の緊急電話を選択し、接続できることができる。
【００１１】
また、請求項２の発明によれば、ＩＰ電話装置とＩＰ電話装置が接続すべき最寄ＩＰ電話装置とをＩＰ電話サーバ装置が接続するＩＰ電話接続方法をＩＰ電話装置としてのコンピュータに実行させるＩＰ電話プログラムであって、所定の電話番号が入力されると、ＩＰ電話装置の所在地を特定するＩＰ電話装置の地域特定情報をＩＰ電話サーバ装置に送信し、送信された地域特定情報に基づいてＩＰ電話サーバ装置において取得された最寄ＩＰ電話装置を一意に認識可能なアドレスをＩＰ電話サーバ装置から受信すると、アドレスに接続要求を行うので、所定の電話番号を入力すれば、ＩＰ電話装置から最寄ＩＰ電話装置のＩＰアドレスに接続できる。
【００１２】
また、請求項３の発明によれば、所定の電話番号をＩＰ電話サーバ装置を一意に認識可能なアドレスに置換し、置換されたＩＰ電話サーバ装置のアドレスに地域特定情報を送信するので、ＩＰ電話サーバ装置と容易に接続できる。
【発明を実施するための最良の形態】
【００１３】
以下に添付図面を参照して、この発明に係るＩＰ電話サーバ接続プログラムおよびＩＰ電話プログラムの好適な実施の形態を詳細に説明する。なお、下記に示す実施の形態１では、ＩＰ電話サーバ装置とＩＰ電話装置からなるＩＰ電話システムにおいて最寄の緊急電話に接続する場合について説明することとする。また、実施の形態２では、ＩＰ電話システムを実行するコンピュータシステムについて説明することとする。最後に、他の実施の形態として種々の変形例を説明する。
【００１４】
（実施の形態１）
本実施の形態１では、本発明に係るＩＰ電話サーバ装置、ＩＰ電話装置からなるＩＰ電話システムにおいて最寄の緊急電話に接続する場合について説明する。なお、ここでは、本実施の形態１に係るＩＰ電話サーバ装置の概要および特徴を説明した後に、このＩＰ電話システムの構成を説明し、最後に、このＩＰ電話システムの緊急電話への接続手順等について説明する。
【００１５】
［ＩＰ電話サーバ装置の概要および主たる特徴］
最初に、本実施の形態１に係るＩＰ電話システムの緊急電話への接続の概念を説明する。図１は、本実施の形態１に係るＩＰ電話システムの緊急電話への接続の概念を説明する図である。
【００１６】
同図に示すように、本発明に係るＩＰ電話システムのＩＰ電話サーバ装置は、概略的には、ＩＰ電話装置から送信された地域特定情報に基づいて最寄ＩＰ電話装置のＩＰアドレスを検索、送信することを特徴とする。
【００１７】
具体的には、最寄ＩＰ電話装置の地域特定情報とＩＰアドレスを対応付けた地域特定情報／ＩＰアドレス対応表を保持し、地域特定情報／ＩＰアドレス対応表とＩＰ電話装置から受信した地域特定情報に基づいてＩＰ電話装置が接続すべき最寄ＩＰ電話装置のＩＰアドレスを検索し、最寄ＩＰ電話装置のＩＰアドレスを取得し、発呼者のＩＰ電話装置に送信することを特徴とする。従って、ＩＰ電話装置は、ＩＰ電話サーバ装置から受信した最寄ＩＰ電話装置のＩＰアドレスに接続することができる。
【００１８】
また、所定の電話番号をＩＰ電話サーバ装置のアドレスに置換し、置換されたＩＰ電話サーバ装置のアドレスに地域特定情報を送信するので、ＩＰ電話サーバ装置と容易に接続できる。また、ＩＰ電話装置から受信した地域特定情報をＩＰフレームから読み出すこととしたので、地域特定情報を送信するために新たなパケットを送信する必要はない。また、地域特定情報は、郵便番号であるよう構成したので、地域特定情報として誰もが容易に活用できる。
【００１９】
［ＩＰ電話システムの構成］
本実施の形態１に係るＩＰ電話システムの構成を示す機能ブロック図を説明する。図２は、本実施の形態１に係るＩＰ電話システムの構成を示す機能ブロック図である。同図に示すように、ＩＰ電話システムは、ＩＰ電話装置１０と、最寄ＩＰ電話装置３０と、ＩＰ電話サーバ装置５０と、ネットワーク７０とからなる。
【００２０】
ＩＰ電話装置１０、最寄ＩＰ電話装置３０は、ＳＩＰ（ＳＥＳＳＩＯＮ  ＩＮＩＴＩＡＴＩＯＮ  ＰＲＯＴＯＣＯＬ）に基づいて通話をするＩＰ電話装置である。ＩＰ電話サーバ装置５０は、ＳＩＰに基づいてＩＰ電話装置１０、最寄ＩＰ電話装置３０にＩＰ電話サービスを提供するサーバ装置である。ネットワーク７０は、ＩＰネットワークであり、例えば、通信事業者、特定電気通信役務提供者、警察署または消防署等が管理・運用する専用回線、ＬＡＮ、インターネットまたはそれらを組み合わせたネットワークである。
【００２１】
ＩＰ電話装置１０は、郵便番号書込部１２と、ＩＰアドレス置換部１４と、最寄電話接続要求部１６と、通信部１８（請求項４の地域特定情報送信手段を含む。）と、制御部２０とからなっている。郵便番号書込部１２は、ＩＰ電話装置の郵便番号をＩＰフレームに書き込む処理部であり、具体的には、ＩＰｖ４の場合にＩＰ電話装置は、ＩＰヘッダのオプション部に郵便番号を書き込み、ＩＰｖ６の場合にＩＰヘッダの拡張ヘッダ部に書き込む。
【００２２】
ここで、ＩＰ電話装置１０が郵便番号を書き込むＩＰフレームの例を示す。図３は、図２に示すＩＰ電話装置が郵便番号を書き込むＩＰフレームの一例を示す図であり、ＩＰｖ４の場合である。また、図４は、図２に示すＩＰ電話装置が郵便番号を書き込むＩＰフレームの別の例を示す図であり、ＩＰｖ６の場合である。どちらの場合も、郵便番号をバイナリデータで書き込む。
【００２３】
ＩＰアドレス置換部１４は、ＩＰ電話装置１０において所定の電話番号が入力された場合に、所定の電話番号をＩＰ電話サーバ装置５０のＩＰアドレスに置換する処理部であり、具体的には、１１０番や１１９番のような緊急電話番号をＩＰ電話サーバ装置５０のＩＰアドレスに置換する。
【００２４】
最寄電話接続要求部１６は、ＩＰ電話サーバ装置５０から受信した最寄ＩＰ電話装置３０のＩＰアドレスに接続要求する処理部である。通信部１８は、ＳＩＰの通信手順に基づいて最寄ＩＰ電話装置３０またはＩＰ電話サーバ装置５０と通信する処理部であり、具体的には、ＩＰアドレス置換部１４によって置換されたＩＰ電話サーバ装置５０のＩＰアドレスに、郵便番号書込部１２によってＩＰフレームに書き込まれたＩＰ電話装置１０の郵便番号を送信する。また、ＩＰ電話サーバ装置５０の通信部５８によって送信された最寄ＩＰ電話装置３０のＩＰアドレスを受信し、最寄電話接続要求部１６によって接続要求された最寄ＩＰ電話装置３０のＩＰアドレスに接続する。
【００２５】
制御部２０は、ＩＰ電話装置１０の全体を制御する処理部であり、具体的には、発呼者の要求を受け付けて、ＳＩＰに基づいて最寄ＩＰ電話装置３０やＩＰ電話サーバ装置５０と通信を行うよう各処理部を制御する。
【００２６】
最寄ＩＰ電話装置３０は、接続要求受付部３２と、接続要求応答部３４と、通信部３６と、制御部３８とからなる。接続要求受付部３２は、ＩＰ電話装置１０から送信された接続要求を受け付ける処理部である。また、接続要求応答部３４は、接続要求受付部３２が受け付けたＩＰ電話装置１０の接続要求に応答する処理部である。
【００２７】
通信部３６は、ＳＩＰの通信手順に基づいてＩＰ電話装置１０と通信する処理部であり、具体的には、ＩＰ電話装置からの接続要求を受信し、応答する。また制御部３８は、最寄ＩＰ電話装置３０の全体を制御する処理部であり、ＳＩＰに基づいてＩＰ電話装置１０と通信を行うよう各処理部を制御する。
【００２８】
ＩＰ電話サーバ装置５０は、郵便番号読出部５２と、最寄電話ＩＰアドレス検索部５４と、郵便番号／ＩＰアドレス対応表保持部５６と、通信部５８（請求項１の最寄電話ＩＰアドレス送信手段を含む。）と、制御部６０とからなる。
【００２９】
郵便番号読出部５２は、ＩＰ電話装置１０から受信した郵便番号をＩＰフレームから読み出す処理部である。また、最寄電話ＩＰアドレス検索部５４は、郵便番号／ＩＰアドレス対応表とＩＰ電話装置から受信した郵便番号に基づいてＩＰ電話装置１０が接続すべき最寄ＩＰ電話装置３０のＩＰアドレスを検索する。さらに詳細に説明すれば、最寄電話ＩＰアドレス検索部５４は、郵便番号／ＩＰアドレス対応表と郵便番号読出部５２によってＩＰフレームから読み出された郵便番号に基づいてＩＰ電話装置１０が接続すべき最寄ＩＰ電話装置３０のＩＰアドレスを検索する。
【００３０】
郵便番号／ＩＰアドレス対応表保持部５６は、最寄ＩＰ電話装置３０の郵便番号とＩＰアドレスを対応付けた郵便番号／ＩＰアドレス対応表を保持する記憶部である。具体的には、ＩＰ電話装置１０において入力された所定の電話番号が１１９番の場合には、郵便番号と郵便番号が特定する地域の消防署のＩＰアドレスを対応付けた郵便番号／ＩＰアドレス対応表を保持する。また、ＩＰ電話装置１０において入力された所定の電話番号が１１０番の場合には、郵便番号と郵便番号が特定する地域の警察署のＩＰアドレスを対応付けた郵便番号／ＩＰアドレス対応表を保持する。
【００３１】
ここで、ＩＰ電話サーバ装置５０が保持する郵便番号／ＩＰアドレス対応表について説明する。図５は、図２に示すＩＰ電話サーバ装置５０が保持する郵便番号／ＩＰアドレス対応表の一例を示す図である。図５（ａ）は、郵便番号と郵便番号によって特定される地域の最寄消防署ＩＰアドレスを対応付ける表であり、図５（ｂ）は、郵便番号と郵便番号によって特定される地域の最寄警察署ＩＰアドレスを対応付ける表である。
【００３２】
通信部５８は、ＳＩＰの通信手順に基づいてＩＰ電話装置１０と通信する処理部であり、具体的には、ＩＰ電話装置１０から郵便番号を受信する。また、最寄電話ＩＰアドレス検索部５４によって検索された最寄ＩＰ電話装置３０のＩＰアドレスを取得し、ＩＰ電話装置１０に送信する。また、制御部６０は、ＩＰ電話サーバ装置全体を制御する制御部であり、ＳＩＰに基づいてＩＰ電話装置１０と通信を行うよう各処理部を制御する。
【００３３】
［緊急電話への接続手順］
次に、ＩＰ電話システムの最寄の緊急電話への接続手順について説明する。図６は、図２に示すＩＰ電話システムの最寄の緊急電話への接続手順を示すフローチャートである。
【００３４】
同図に示すように、まず、ＩＰ電話装置１０から緊急電話番号を入力すると（ステップＳ３０１）、郵便番号書込部１２は、ＩＰ電話装置１０の郵便番号をＩＰフレームに書き込む。具体的には、ＩＰｖ４の場合にＩＰ電話装置は、ＩＰヘッダのオプション部に郵便番号を書き込み、ＩＰｖ６の場合にＩＰヘッダの拡張ヘッダ部に書き込む（ステップＳ３０２）。
【００３５】
そして、ＩＰアドレス置換部１４は、ＩＰ電話装置１０において所定の電話番号が入力された場合に、所定の電話番号をＩＰ電話サーバ装置５０のＩＰアドレスに置換する（ステップＳ３０３）。さらに、通信部１８は、ＩＰアドレス置換部１４によって置換されたＩＰ電話サーバ装置５０のＩＰアドレスに、郵便番号書込部１２によってＩＰフレームに書き込まれたＩＰ電話装置１０の郵便番号を送信する（ステップＳ３０４）。
【００３６】
続いて、ＩＰ電話サーバ装置５０の通信部５８は、郵便番号書込部１２によってＩＰフレームに書き込まれたＩＰ電話装置１０の郵便番号を受信する（ステップＳ３０５）。そして、郵便番号読出部５２は、ＩＰ電話装置１０から受信した郵便番号をＩＰフレームから読み出す（ステップＳ３０６）。
【００３７】
さらに、最寄電話ＩＰアドレス検索部５４は、郵便番号／ＩＰアドレス対応表と郵便番号読出部５２によってＩＰフレームから読み出された郵便番号に基づいてＩＰ電話装置１０が接続すべき最寄ＩＰ電話装置３０のＩＰアドレスを検索する（ステップＳ３０７）。そして、通信部５８が最寄ＩＰ電話装置３０のＩＰアドレスを取得し（ステップＳ３０８）、ＩＰ電話装置１０に送信する（ステップＳ３０９）。
【００３８】
続いて、ＩＰ電話装置１０の通信部１８が、ＩＰ電話サーバ装置５０の通信部５８によって送信された最寄ＩＰ電話装置３０のＩＰアドレスを受信し（ステップＳ３１０）、最寄電話接続要求部１６が最寄ＩＰ電話装置３０のＩＰアドレスに接続要求を送信する（ステップＳ３１１）。そして、最寄ＩＰ電話装置３０の接続要求受付部３２が、ＩＰ電話装置１０からの接続要求を受信し、受け付ける（ステップＳ３１２）。さらに、接続要求応答部３４が受付応答を送信し（ステップＳ３１３）、ＩＰ電話装置１０が受付応答を受信して（ステップＳ３１４）、ＩＰ電話システムの最寄の緊急電話への接続手順は完了する。
【００３９】
（実施の形態２）
ところで、上記実施の形態１で説明したＩＰ電話サーバ装置、ＩＰ電話装置、ＩＰ電話接続方法、ＩＰ電話サーバ接続方法は、あらかじめ用意されたプログラムをパーソナル・コンピュータやワークステーションなどのコンピュータシステムで実行することによって実現することができる。そこで、本実施の形態２では、上記実施の形態１で説明したＩＰ電話サーバ装置、ＩＰ電話装置（ＩＰ電話接続方法、ＩＰ電話サーバ接続方法）と同様の機能を有するＩＰ電話接続プログラム、ＩＰ電話サーバ接続プログラムを実行するコンピュータシステムについて説明する。
【００４０】
図７は、本実施の形態２に係るコンピュータシステムの構成を示すシステム構成図であり、図８は、このコンピュータシステムにおける本体部の構成を示すブロック図である。図７に示すように、本実施の形態２に係るコンピュータシステム１００は、本体部１０１と、本体部１０１からの指示によって表示画面１０２ａに画像などの情報を表示するためのディスプレイ１０２と、このコンピュータシステム１００に種々の情報を入力するためのキーボード１０３と、ディスプレイ１０２の表示画面１０２ａ上の任意の位置を指定するためのマウス１０４とを備える。
【００４１】
また、このコンピュータシステム１００における本体部１０１は、図８に示すように、ＣＰＵ１２１と、ＲＡＭ１２２と、ＲＯＭ１２３と、ハードディスクドライブ（ＨＤＤ）１２４と、ＣＤ−ＲＯＭ１０９を受け入れるＣＤ−ＲＯＭドライブ１２５と、フレキシブルディスク（ＦＤ）１０８を受け入れるＦＤドライブ１２６と、ディスプレイ１０２、キーボード１０３並びにマウス１０４を接続するＩ／Ｏインターフェース１２７と、ローカルエリアネットワークまたは広域エリアネットワーク（ＬＡＮ／ＷＡＮ）１０６に接続するＬＡＮインターフェース１２８とを備える。
【００４２】
さらに、このコンピュータシステム１００には、インターネットなどの公衆回線１０７に接続するためのモデム１０５が接続されるとともに、ＬＡＮインターフェース１２８およびＬＡＮ／ＷＡＮ１０６を介して、他のコンピュータシステム（ＰＣ）１１１、サーバ１１２並びにプリンタ１１３などが接続される。
【００４３】
そして、このコンピュータシステム１００は、所定の記録媒体に記録されたＩＰ電話接続プログラムを読み出して実行することでＩＰ電話サーバ装置、ＩＰ電話装置（ＩＰ電話接続方法、ＩＰ電話サーバ接続方法）を実現する。ここで、所定の記録媒体とは、フレキシブルディスク（ＦＤ）１０８、ＣＤ−ＲＯＭ１０９、ＭＯディスク、ＤＶＤディスク、光磁気ディスク、ＩＣカードなどの「可搬用の物理媒体」の他に、コンピュータシステム１００の内外に備えられるハードディスクドライブ（ＨＤＤ）１２４や、ＲＡＭ１２２、ＲＯＭ１２３などの「固定用の物理媒体」、さらに、モデム１０５を介して接続される公衆回線１０７や、他のコンピュータシステム１１１並びにサーバ１１２が接続されるＬＡＮ／ＷＡＮ１０６などのように、プログラムの送信に際して短期にプログラムを保持する「通信媒体」など、コンピュータシステム１００によって読み取り可能なＩＰ電話接続プログラム、ＩＰ電話サーバ接続方法を記録する、あらゆる記録媒体を含むものである。
【００４４】
すなわち、ＩＰ電話接続プログラムは、上記した「可搬用の物理媒体」、「固定用の物理媒体」、「通信媒体」などの記録媒体に、コンピュータ読み取り可能に記録されるものであり、コンピュータシステム１００は、このような記録媒体からＩＰ電話接続プログラムを読み出して実行することでＩＰ電話サーバ装置、ＩＰ電話装置、ＩＰ電話接続方法およびＩＰ電話サーバ接続方法を実現する。なお、ＩＰ電話接続プログラム、ＩＰ電話サーバ接続プログラムは、コンピュータシステム１００によって実行されることに限定されるものではなく、他のコンピュータシステム１１１またはサーバ１１２がＩＰ電話接続プログラム、ＩＰ電話サーバ接続プログラムを実行する場合や、これらが協働してＩＰ電話接続プログラム、ＩＰ電話サーバ接続プログラムを実行するような場合にも、本発明を同様に適用することができる。
【００４５】
（他の実施の形態）
さて、これまで本発明の実施の形態について説明したが、本発明は上述した実施の形態以外にも、上記特許請求の範囲に記載した技術的思想の範囲内において種々の異なる実施の形態にて実施されてもよいものである。
【００４６】
例えば、本実施の形態１では、本発明をＳＩＰに基づくＩＰ電話サーバ装置、ＩＰ電話装置に適用する場合について説明したが、本発明はこれに限定されるものではなく、他のＩＰ電話プロトコル、例えばＨ．３２３（ＩＴＵ−Ｔ）に基づくＩＰ電話サーバ装置、ＩＰ電話装置に適用することができる。
【００４７】
また、本実施の形態１では、本発明をＩＰ電話装置の地域特定情報として郵便番号を用いる場合について説明したが、本発明はこれに限定されるものではなく、ＩＰ電話装置を購入する際の登録番号や識別番号、市町村番号など様々な地域特定情報を用いることができる。
【００４８】
また、本実施の形態１では、本発明をＩＰ電話装置の地域特定情報をＩＰ電話装置で設定する場合について説明したが、本発明はこれに限定されるものではなく、ＩＰ電話サービスを行う特定電気通信役務提供者や運用者が設定することができる。例えば、ＩＰ電話装置が緊急電話を発呼した場合、ＩＰ電話装置の地域特定情報を保持した特定電気通信役務提供者がＩＰフレームに書き込むこともできる。
【００４９】
また、本実施の形態１では、本発明を消防署および警察署などの最寄の緊急電話に接続する場合について説明したが、本発明はこれに限定されるものではなく、全国展開したデパート、スーパ、ディスカウントストアなどの最寄の支店に接続する場合に適用することができる。例えば、全国展開したデパートが地域特定情報と支店の電話番号を対応付けた対応表を保持したＩＰ電話サーバ装置およびＩＰ電話システムを運営し、問い合わせに応じて最寄の支店のＩＰ電話装置のＩＰアドレスを回答するサービスを実施することができる。
【００５０】
また、本実施の形態１では、本発明を従来の公衆回線用の電話とは別なＩＰ電話装置として説明したが、本発明はこれに限定されるものではなく、従来の公衆回線用の電話にアダプタを取り付けて本発明のＩＰ電話装置と同等な機能を持たせた場合に適用することができる。
【００５１】
また、本実施の形態において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００５２】
また、図示した各装置の各構成要素は機能概念的なものであり、必ずしも物理的に図示の如く構成されていることを要しない。すなわち、各装置（ＩＰ電話装置、ＩＰ電話サーバ装置）の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００５３】
（付記１）ネットワークを介して接続されたＩＰ電話装置と最寄ＩＰ電話装置にＩＰ電話サービスを提供するＩＰ電話サーバ装置であって、
前記最寄ＩＰ電話装置の地域特定情報とＩＰアドレスを対応付けた地域特定情報／ＩＰアドレス対応表を保持する地域特定情報／ＩＰアドレス対応表保持手段と、
前記地域特定情報／ＩＰアドレス対応表保持手段によって保持された地域特定情報／ＩＰアドレス対応表と前記ＩＰ電話装置から受信した地域特定情報に基づいて前記ＩＰ電話装置が接続すべき最寄ＩＰ電話装置のＩＰアドレスを検索する最寄電話ＩＰアドレス検索手段と、
前記最寄電話ＩＰアドレス検索手段によって検索された最寄ＩＰ電話装置のＩＰアドレスを取得し、前記ＩＰ電話装置に送信する最寄電話ＩＰアドレス送信手段と、
を備えたことを特徴とするＩＰ電話サーバ装置。
【００５４】
（付記２）前記ＩＰ電話装置から受信した地域特定情報をＩＰフレームから読み出す地域特定情報読出手段をさらに備え、
前記最寄電話ＩＰアドレス検索手段は、前記地域特定情報／ＩＰアドレス対応表保持手段によって保持された地域特定情報／ＩＰアドレス対応表と前記地域特定情報読出手段によってＩＰフレームから読み出された地域特定情報に基づいて前記ＩＰ電話装置が接続すべき最寄ＩＰ電話装置のＩＰアドレスを検索することを特徴とする付記１に記載のＩＰ電話サーバ装置。
【００５５】
（付記３）前記地域特定情報は、郵便番号であることを特徴とする付記１または付記２に記載のＩＰ電話サーバ装置。
【００５６】
（付記４）ＩＰ電話サーバ装置と最寄ＩＰ電話装置にネットワークを介して接続され、該ＩＰ電話サーバ装置からＩＰ電話サービスの提供を受けるＩＰ電話装置であって、
前記ＩＰ電話装置において所定の電話番号が入力された場合に、前記ＩＰ電話サーバ装置のＩＰアドレスに該ＩＰ電話装置の地域特定情報を送信する地域特定情報送信手段と、
前記ＩＰ電話サーバ装置から受信した最寄ＩＰ電話装置のＩＰアドレスに接続要求する最寄電話接続要求手段と、
を備えたことを特徴とするＩＰ電話装置。
【００５７】
（付記５）前記所定の電話番号を前記ＩＰ電話サーバ装置のＩＰアドレスに置換するＩＰアドレス置換手段をさらに備え、
前記ＩＰアドレス置換手段は、前記ＩＰ電話装置において所定の電話番号が入力された場合に、該所定の電話番号を前記ＩＰ電話サーバ装置のＩＰアドレスに置換し、
前記地域特定情報送信手段は、前記ＩＰアドレス置換手段によって置換されたＩＰ電話サーバ装置のＩＰアドレスに前記ＩＰ電話装置の地域特定情報を送信することを特徴とする付記４に記載のＩＰ電話装置。
【００５８】
（付記６）前記ＩＰ電話装置の地域特定情報をＩＰフレームに書き込む地域特定情報書込手段をさらに備え、
前記地域特定情報送信手段は、前記ＩＰアドレス置換手段によって置換されたＩＰ電話サーバ装置のＩＰアドレスに、前記地域特定情報書込手段によってＩＰフレームに書き込まれたＩＰ電話装置の地域特定情報を送信することを特徴とする付記５に記載のＩＰ電話装置。
【００５９】
（付記７）前記地域特定情報は、郵便番号であることを特徴とする付記４、付記５または付記６に記載のＩＰ電話装置。
【００６０】
（付記８）ネットワークを介して接続されたＩＰ電話装置と最寄ＩＰ電話装置にＩＰ電話サービスを提供するＩＰ電話サーバ接続方法であって、
前記最寄ＩＰ電話装置の地域特定情報とＩＰアドレスを対応付けた地域特定情報／ＩＰアドレス対応表を保持する地域特定情報／ＩＰアドレス対応表保持工程と、
前記地域特定情報／ＩＰアドレス対応表保持工程によって保持された地域特定情報／ＩＰアドレス対応表と前記ＩＰ電話装置から受信した地域特定情報に基づいて前記ＩＰ電話装置が接続すべき最寄ＩＰ電話装置のＩＰアドレスを検索する最寄電話ＩＰアドレス検索工程と、
前記最寄電話ＩＰアドレス検索工程によって検索された最寄ＩＰ電話装置のＩＰアドレスを取得し、前記ＩＰ電話装置に送信する最寄電話ＩＰアドレス送信工程と、
を含んだことを特徴とするＩＰ電話サーバ接続方法。
【００６１】
（付記９）前記ＩＰ電話装置から受信した地域特定情報をＩＰフレームから読み出す地域特定情報読出工程をさらに含み、
前記最寄電話ＩＰアドレス検索工程は、前記地域特定情報／ＩＰアドレス対応表保持工程によって保持された地域特定情報／ＩＰアドレス対応表と前記地域特定情報読出工程によってＩＰフレームから読み出された地域特定情報に基づいて前記ＩＰ電話装置が接続すべき最寄ＩＰ電話装置のＩＰアドレスを検索することを特徴とする付記８に記載のＩＰ電話サーバ接続方法。
【００６２】
（付記１０）前記地域特定情報は、郵便番号であることを特徴とする付記８または付記９に記載のＩＰ電話サーバ接続方法。
【００６３】
（付記１１）ＩＰ電話サーバ装置と最寄ＩＰ電話装置にネットワークを介して接続され、該ＩＰ電話サーバ装置からＩＰ電話サービスの提供を受けるＩＰ電話接続方法であって、
前記ＩＰ電話装置において所定の電話番号が入力された場合に、前記ＩＰ電話サーバ装置のＩＰアドレスに該ＩＰ電話装置の地域特定情報を送信する地域特定情報送信工程と、
前記ＩＰ電話サーバ装置から受信した最寄ＩＰ電話装置のＩＰアドレスに接続要求する最寄電話接続要求工程と、
を含んだことを特徴とするＩＰ電話接続方法。
【００６４】
（付記１２）前記所定の電話番号を前記ＩＰ電話サーバ装置のＩＰアドレスに置換するＩＰアドレス置換工程をさらに含み、
前記ＩＰアドレス置換工程は、前記ＩＰ電話装置において所定の電話番号が入力された場合に、該所定の電話番号を前記ＩＰ電話サーバ装置のＩＰアドレスに置換し、
前記地域特定情報送信工程は、前記ＩＰアドレス置換手段によって置換されたＩＰ電話サーバ装置のＩＰアドレスに前記ＩＰ電話装置の地域特定情報を送信することを特徴とする付記１１に記載のＩＰ電話接続方法。
【００６５】
（付記１３）前記ＩＰ電話装置の地域特定情報をＩＰフレームに書き込む地域特定情報書込工程をさらに備え、
前記地域特定情報送信工程は、前記ＩＰアドレス置換工程によって置換されたＩＰ電話サーバ装置のＩＰアドレスに、前記地域特定情報書込工程によってＩＰフレームに書き込まれたＩＰ電話装置の地域特定情報を送信することを特徴とする付記１２に記載のＩＰ電話接続方法。
【００６６】
（付記１４）前記地域特定情報は、郵便番号であることを特徴とする付記１１、付記１２または付記１３に記載のＩＰ電話接続方法。
【００６７】
（付記１５）ネットワークを介して接続されたＩＰ電話装置と最寄ＩＰ電話装置にＩＰ電話サービスを提供するＩＰ電話サーバ接続プログラムであって、
前記最寄ＩＰ電話装置の地域特定情報とＩＰアドレスを対応付けた地域特定情報／ＩＰアドレス対応表を保持する地域特定情報／ＩＰアドレス対応表保持手順と、
前記地域特定情報／ＩＰアドレス対応表保持手順によって保持された地域特定情報／ＩＰアドレス対応表と前記ＩＰ電話装置から受信した地域特定情報に基づいて前記ＩＰ電話装置が接続すべき最寄ＩＰ電話装置のＩＰアドレスを検索する最寄電話ＩＰアドレス検索手順と、
前記最寄電話ＩＰアドレス検索手順によって検索された最寄ＩＰ電話装置のＩＰアドレスを取得し、前記ＩＰ電話装置に送信する最寄電話ＩＰアドレス送信手順と、
をコンピュータに実行させることを特徴とするＩＰ電話サーバ接続プログラム。
【００６８】
（付記１６）前記ＩＰ電話装置から受信した地域特定情報をＩＰフレームから読み出す地域特定情報読出手順をさらに含み、
前記最寄電話ＩＰアドレス検索手順は、前記地域特定情報／ＩＰアドレス対応表保持手順によって保持された地域特定情報／ＩＰアドレス対応表と前記地域特定情報読出手順によってＩＰフレームから読み出された地域特定情報に基づいて前記ＩＰ電話装置が接続すべき最寄ＩＰ電話装置のＩＰアドレスを検索することを特徴とする付記１５に記載のＩＰ電話サーバ接続プログラム。
【００６９】
（付記１７）前記地域特定情報は、郵便番号であることを特徴とする付記１５または付記１６に記載のＩＰ電話サーバ接続プログラム。
【００７０】
（付記１８）ＩＰ電話サーバ装置と最寄ＩＰ電話装置にネットワークを介して接続され、該ＩＰ電話サーバ装置からＩＰ電話サービスの提供を受けるＩＰ電話接続プログラムであって、
前記ＩＰ電話装置において所定の電話番号が入力された場合に、前記ＩＰ電話サーバ装置のＩＰアドレスに該ＩＰ電話装置の地域特定情報を送信する地域特定情報送信手順と、
前記ＩＰ電話サーバ装置から受信した最寄ＩＰ電話装置のＩＰアドレスに接続要求する最寄電話接続要求手順と、
をコンピュータに実行させることを特徴とするＩＰ電話接続プログラム。
【００７１】
（付記１９）前記所定の電話番号を前記ＩＰ電話サーバ装置のＩＰアドレスに置換するＩＰアドレス置換手順をさらに含み、
前記ＩＰアドレス置換手順は、前記ＩＰ電話装置において所定の電話番号が入力された場合に、該所定の電話番号を前記ＩＰ電話サーバ装置のＩＰアドレスに置換し、
前記地域特定情報送信手順は、前記ＩＰアドレス置換手順によって置換されたＩＰ電話サーバ装置のＩＰアドレスに前記ＩＰ電話装置の地域特定情報を送信することを特徴とする付記１８に記載のＩＰ電話接続プログラム。
【００７２】
（付記２０）前記ＩＰ電話装置の地域特定情報をＩＰフレームに書き込む地域特定情報書込手順をさらに備え、
前記地域特定情報送信手順は、前記ＩＰアドレス置換手順によって置換されたＩＰ電話サーバ装置のＩＰアドレスに、前記地域特定情報書込手順によってＩＰフレームに書き込まれたＩＰ電話装置の地域特定情報を送信することを特徴とする付記１９に記載のＩＰ電話接続プログラム。
【００７３】
（付記２１）前記地域特定情報は、郵便番号であることを特徴とする付記１８、付記１９または付記２０に記載のＩＰ電話接続プログラム。
【産業上の利用可能性】
【００７４】
以上のように、本発明に係るＩＰ電話サーバ接続プログラムおよびＩＰ電話プログラムは、ＩＰ電話装置と当該ＩＰ電話装置が接続すべき最寄ＩＰ電話装置とをＩＰ電話サーバ装置が接続することに有用であり、特に、発呼者の最寄の緊急電話を選択し、接続できることに適する。
【図面の簡単な説明】
【００７５】
【図１】本実施の形態１に係るＩＰ電話システムの緊急電話への接続の概念を説明する図である。
【図２】本実施の形態１に係るＩＰ電話システムの構成を示す機能ブロック図である。
【図３】図２に示すＩＰ電話装置が郵便番号を書き込むＩＰフレームの一例を示す図である。
【図４】図２に示すＩＰ電話装置が郵便番号を書き込むＩＰフレームの別の例を示す図である。
【図５】図２に示すＩＰ電話サーバ装置が保持する郵便番号／最寄緊急電話ＩＰアドレス対応表の一例を示す図である。
【図６】図２に示すＩＰ電話システムの最寄の緊急電話への接続手順を示すフローチャートである。
【図７】本実施の形態２に係るコンピュータシステムの構成を示すシステム構成図である。
【図８】図７に示したコンピュータシステムにおける本体部の構成を示すブロック図である。
【符号の説明】
【００７６】
１０  ＩＰ電話装置
１２  郵便番号書込部
１４  ＩＰアドレス置換部
１６  最寄電話接続要求部
１８、３６，５８  通信部
２０、３８，６０  制御部
３０  最寄ＩＰ電話装置
３２  接続要求受付部
３４  接続要求応答部
５０  ＩＰ電話サーバ装置
５２  郵便番号読出部
５４  最寄電話ＩＰアドレス検索部
５６  郵便番号／ＩＰアドレス対応表保持部
７０  ネットワーク
１００  コンピュータシステム
１０１  本体部
１０２  ディスプレイ
１０２ａ  表示画面
１０３  キーボード
１０４  マウス
１０５  モデム
１０６  ローカルエリアネットワークまたは広域エリアネットワーク（ＬＡ
Ｎ／ＷＡＮ）
１０７  公衆回線
１０８  フレキシブルディスク（ＦＤ）
１０９  ＣＤ−ＲＯＭ
１１１  他のコンピュータシステム（ＰＣ）
１１２  サーバ
１１３  プリンタ
１２１  ＣＰＵ
１２２  ＲＡＭ
１２３  ＲＯＭ
１２４  ハードディスクドライブ（ＨＤＤ）
１２５  ＣＤ−ＲＯＭドライブ
１２６  ＦＤドライブ
１２７  Ｉ／Ｏインターフェース
１２８  ＬＡＮインタフェース
【図１】
2007104734.tif 000003
【図２】
2007104734.tif 000004
【図３】
2007104734.tif 000005
【図４】
2007104734.tif 000006
【図５】
2007104734.tif 000007
【図６】
2007104734.tif 000008
【図７】
2007104734.tif 000009
【図８】
2007104734.tif 000010